【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  無線通信システムのシステム機器によってネットワーク制御を実行する方法であって、
少なくとも２つのアクティブな送受信基地局から該システム機器に少なくとも１つのネットワーク・パラメータをプールするステップ、及び
該プールしたネットワーク・パラメータを使用して該無線通信システム内でモバイルの現在状態を判定するステップ
からなる方法。
【請求項２】  請求項１記載の方法において、
該少なくとも１つのネットワーク・パラメータが、該少なくとも２つのアクティブな送受信基地局からの複数の仮説の各々に対する信頼度測度であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記モバイルの現在状態を判定するステップが、該複数の仮説の各々に対する信頼度測度を加算することと、最大の累積値を有する仮説を選択することを含む方法。
【請求項３】  請求項１記載の方法において、
該少なくとも１つのネットワーク・パラメータが、該少なくとも２つのアクティブな送受信基地局によって測定される該モバイルからのパイロット信号のＳＮ比であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であると共に、
前記モバイルの現在状態を判定するステップが、該モバイルからのパイロット信号のより高いＳＮ比を供給する送受信基地局からの状態情報を、該モバイルからのパイロット信号のより低いＳＮ比を供給する送受信基地局からの状態情報よりも高く重み付けすることを含む方法。
【請求項４】  請求項１記載の方法において、
該少なくとも１つのネットワーク・パラメータが、該少なくとも２つのアクティブな送受信基地局によって測定される該モバイルからのパイロット信号のエネルギー・パラメータであり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記モバイルの現在状態を判定するステップが、該モバイルからのパイロット信号のより高いエネルギー・パラメータを供給する送受信基地局からの状態情報を、該モバイルからのパイロット信号のより低いエネルギー・パラメータを供給する送受信基地局からの状態情報よりも高く重み付けすることを含む方法。
【請求項５】  請求項１記載の方法において、
該少なくとも１つのネットワーク・パラメータが、該モバイルから同時に送信されている別のチャネルからの品質指標であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記モバイルの現在状態を判定するステップが、より良好な品質指標で該別のチャネルを受信している送受信基地局によるモバイル状態の判定を、より劣悪な品質指標で該別のチャネルを受信している別の送受信基地局によるモバイル状態の判定よりも高く重み付けすることを含む方法。
【請求項６】  無線通信システムにおいてネットワーク制御を実行するためのネットワーク・エンティティであって、
少なくとも２つのアクティブな送受信基地局からの少なくとも１つのネットワーク・パラメータをプールし、該プールされたネットワーク・パラメータを使用して該無線通信システム内のモバイルの現在状態を判定するためのプロセッサ
からなるネットワーク・エンティティ。
【請求項７】  請求項６記載のネットワーク・エンティティにおいて、該少なくとも１つのネットワーク・パラメータが、該少なくとも２つのアクティブな送受信基地局からの複数の仮説の各々に対する信頼度測度であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記プロセッサが、該複数の仮説の各々に対する信頼度測度を加算し、最大の累積値を有する仮説を選択することによって該モバイルの現在状態を判定するネットワーク・エンティティ。
【請求項８】  請求項６記載のネットワーク・エンティティにおいて、該少なくとも１つのネットワーク・パラメータが、該少なくとも２つのアクティブな送受信基地局によって測定されるモバイルからのパイロット信号のＳＮ比であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記プロセッサが、該モバイルからのパイロット信号のより高いＳＮ比を供給する送受信基地局からの状態情報を、該モバイルからのパイロット信号のより低いＳＮ比を供給する送受信基地局からの状態情報よりも高く重み付けすることによって該モバイルの現在状態を判定するネットワーク・エンティティ。
【請求項９】  請求項６記載のネットワーク・エンティティにおいて、該少なくとも１つのネットワーク・パラメータが、該少なくとも２つのアクティブな送受信基地局によって測定されるモバイルからのパイロット信号のエネルギー・パラメータであり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記プロセッサが、該モバイルからのパイロット信号のより高いエネルギー・パラメータを供給する送受信基地局からの状態情報を、該モバイルからのパイロット信号のより低いエネルギー・パラメータを供給する送受信基地局からの状態情報よりも高く重み付けすることによって、該モバイルの現在状態を判定するネットワーク・エンティティ。
【請求項１０】  請求項６記載のネットワーク・エンティティにおいて、該少なくとも１つのネットワーク・パラメータが、該モバイルから同時に送信されている別のチャネルからの品質指標であり、該少なくとも２つのアクティブな送受信基地局が、サービス送受信基地局およびターゲット送受信基地局を含み、該モバイルの現在状態が、該ターゲット送受信基地局に切り替えるという該モバイルの意図であり、
前記プロセッサが、より良好な品質指標で別のチャネルを受信している送受信基地局によるモバイル状態の判定を、より劣悪な品質指標で該別のチャネルを受信している別の送受信基地局によるモバイル状態の判定よりも高く重み付けすることによって該モバイルの現在状態を判定するネットワーク・エンティティ。
【手続補正２】
【補正対象書類名】明細書
【補正対象項目名】０００５
【補正方法】変更
【補正の内容】
【０００５】
ハンドオフ手順は、システムがモバイル機器に、複数の送受信基地局のサービスを同時に受けることを許可する特定の環境を識別し、これらの送受信基地局は、送受信基地局の活動集合のメンバとして知られる。比較的高速のデータ応用に対しては、これらの送受信基地局の１つから、モバイルにデータを送信できることが好ましい。この送受信基地局は、データ応用のためのサービス送受信基地局として指定される。ある時点において、移動中のモバイル機器が、活動集合の（即ち、アクティブな、以下同じ）別の送受信基地局（すなわち別のセル）からデータを受信することを選ぶこともあり、この送受信基地局がデータ・サービスのためのターゲット送受信基地局として指定される。ｃｄｍａ２０００リリースＣ標準に準拠するＣＤＭＡシステムでは、モバイルは、サービス送受信基地局からの順方向パケット・データ・チャネル（Ｆ−ＰＤＣＨ）上でデータを受け取る。セル切替え手順のある時点で、サービス送受信基地局はモバイルへのＦ−ＰＤＣＨ上の送信を停止する。ほぼ同時に、ターゲット送受信基地局が、サービス送受信基地局となり、Ｆ−ＰＤＣＨ上でモバイルへの送信を再開する。したがって、モバイルは、セル切替え手順を完了してサービス送受信基地局からターゲット送受信基地局へと切り替えられたことになる。言い換えると、モバイルがセルを切り替えたか、またはモバイルが１つのセルから別のセルに切り替えたということになる。このようにセル切替え手順は、モバイル、サービス・システム機器およびターゲット・システム機器によって実行される。